(57)【要約】巻き付け型の運搬用パッケージ（１５０）は、該パッケージのトップパネル（３０）に形成されるハンドル機能部（６０）を有する。該ハンドル機能部により、ユーザは該トップパネルを変形し掴むことができる。
2009523661.tif 000002
【特許請求の範囲】
【請求項１】
ボトムパネルと、
トップパネルと、
第１のサイドパネルと、
第２のサイドパネルと、
少なくとも部分的に広がっている第１の終端と、
少なくとも部分的に広がっている第２の終端と、
前記トップパネル内の少なくとも１つのハンドル機能部であって、前記トップパネルの少なくとも１つの縁で、前記トップパネルを変形することができる前記ハンドル機能部と、
複数の容器と、
を備える、運搬用パッケージ。
【請求項２】
前記運搬用パッケージの前記第１の終端は、第１のボトム終端フラップによって、少なくとも部分的に閉じられている、請求項１に記載の運搬用パッケージ。
【請求項３】
前記運搬用パッケージの前記第１の終端は、前記第１のサイドパネルへ折畳式に係合される第１のウェブ部と、前記第２のサイドパネルへ折畳式に係合される第２のウェブ部とによって、少なくとも部分的に閉じられる、請求項１または２に記載の運搬用パッケージ。
【請求項４】
前記第１のウェブ部は、
前記第１のサイドパネルへ折畳式に係合される第１のウェブパネルと、
前記第１のウェブパネルへ折畳式に係合される第２のウェブパネルであって、前記第１のボトム終端フラップに接着されている第２のウェブパネルと、
を備える、請求項３に記載の運搬用パッケージ。
【請求項５】
前記少なくとも１つのハンドル機能部は、前記運搬用パッケージの前記第１の終端に、第１のハンドル機能部を備える、請求項１ないし４のいずれか一項に記載の運搬用パッケージ。
【請求項６】
前記第１のハンドル機能部は第１の周囲破壊線を備え、前記第１の周囲破壊線が前記第１のハンドル機能部の第１のハンドルセクションを一部分において画定する、請求項１ないし５に記載の運搬用パッケージ。
【請求項７】
前記第１のハンドル機能部は、前記第１のハンドルセクションに中間破壊線をさらに備え、前記トップパネルの第１の縁へ延在する、請求項６に記載の運搬用パッケージ。
【請求項８】
前記第１のハンドル機能部は、前記第１の周囲破壊線に、またはその近傍に切り込みまたは刻み線をさらに備える、請求項７に記載の運搬用パッケージ。
【請求項９】
前記複数の容器は、少なくとも４つの概して円柱状の容器から成る、請求項１ないし８に記載の運搬用パッケージ。
【請求項１０】
前記容器は２×２の配置で配置される、請求項１ないし９に記載の運搬用パッケージ。
【請求項１１】
前記少なくとも１つのハンドル機能部は、前記運搬用パッケージの前記第１の終端に、第１のハンドル機能部を備える、請求項１に記載の運搬用パッケージ。
【請求項１２】
前記第１のハンドル機能部は第１の周囲破壊線を備え、前記第１の周囲破壊線は、前記第１のハンドル機能部の第１のハンドルセクションを、一部分において画定する、請求項１１に記載の運搬用パッケージ。
【請求項１３】
前記第１のハンドル機能部は、前記第１のハンドルセクションに中間破壊線をさらに備え、前記トップパネルの第１の縁へ延在する、請求項１２に記載の運搬用パッケージ。
【請求項１４】
前記第１のハンドル機能部は、前記第１の周囲破壊線、または近傍に切り込みをさらに備える、請求項１３に記載の運搬用パッケージ。
【請求項１５】
前記複数の容器は、２×２の配置で配置される４つの概して円柱状の容器を備え、各容器は縦軸を有し、前記容器の前記縦軸は、前記ボトムパネルに概して垂直である、請求項１２に記載の運搬用パッケージ。
【請求項１６】
前記第１および第２のサイドパネルは、前記トップパネルに向かって内側に細くなる、請求項１ないし１５に記載の運搬用パッケージ。
【請求項１７】
前記少なくとも１つのハンドル機能部は、前記トップパネルの第１の終端縁に第１のハンドル機能部と、前記トップパネルの第２の終端縁に第２のハンドル機能部とを備える、請求項１ないし１６に記載の運搬用パッケージ。
【請求項１８】
請求項１７に記載の運搬用パッケージを提供するステップと、
少なくとも１本の指を、前記第１のハンドル機能部の前記トップパネルに置くステップと、
少なくとも１本の指を、前記第２のハンドル機能部の前記トップパネルに置くステップと、
前記トップパネルを、前記第１および第２のハンドル機能部で変形するステップと、
前記運搬用パッケージを持ち上げるステップと、
を備える、運搬用パッケージを運搬する方法。
【請求項１９】
ボトムパネルと、
トップパネルと、
前記ボトムパネルおよび前記トップパネルに係合される、第１のサイドパネルと、
前記ボトムパネルおよび前記トップパネルに係合される、第２のサイドパネルと、
部分的に広がっている第１の終端であって、前記第１のサイドパネルへ折畳式に係合される第１のウェブ部、前記第２のサイドパネルへ折畳式に係合される第２のウェブ部、および前記ボトムパネルへ折畳式に係合される第１のボトム終端フラップによって、少なくとも部分的に閉じられている前記第１の終端と、
部分的に広がっている第２の終端と、
前記運搬用パッケージの前記第１の終端にある、前記トップパネルの第１の終端縁の第１のハンドル機能部と、
前記運搬用パッケージの前記第２の終端にある、前記トップパネルの第２の終端縁の第２のハンドル機能部と、
２×２の配置にある４つの容器であって、各容器は縦軸を有し、前記容器の前記軸は概して前記ボトムパネルに垂直である４つの容器と、
を備える、運搬用パッケージ。
【請求項２０】
前記少なくとも１つのハンドル機能部が、前記トップパネルに第１の複数の破壊線を備える、請求項１９に記載の運搬用パッケージ。
【請求項２１】
前記第１の複数の破壊線が第１の周囲破壊線を備え、前記第１の周囲破壊線が、前記トップパネルの前記第１の終端縁に少なくとも近傍に延在する、請求項２０に記載の運搬用パッケージ。
【請求項２２】
前記第１のハンドル機能部が、前記トップパネルの前記第１の縁へ延在する第１の中間破壊線と、前記第１の周囲破壊線、あるいは近傍に切り込みまたは刻み線をさらに備える、請求項２１に記載の運搬用パッケージ。
【請求項２３】
前記第１のウェブ部が、前記第１のサイドパネルへ折畳式に係合される第１のウェブパネルと、前記第１のウェブパネルへ折畳式に係合される第２のウェブパネルとを備え、前記第２のウェブパネルは前記第１のボトム終端フラップに接着されている、請求項１９ないし２２に記載の運搬用パッケージ。
【請求項２４】
前記第１および第２のサイドパネルが、前記トップパネルに向かって内側に細くなる、請求項１９ないし２３に記載の運搬用パッケージ。
【請求項２５】
請求項１９に記載の運搬用パッケージを提供するステップと、
少なくとも１本の指を、前記第１のハンドル機能部の前記トップパネルに置くステップと、
少なくとも１本の指を、前記第２のハンドル機能部の前記トップパネルに置くステップと、
前記トップパネルを、前記第１および第２のハンドル機能部で変形するステップと、
前記運搬用パッケージを持ち上げるステップと、
を備える、運搬用パッケージを運搬する方法。
【請求項２６】
ボトムパネルと、
前記ボトムパネルの第１の終端へ折畳式に係合される第１のボトム終端フラップと、
前記ボトムパネルの第２の終端へ折畳式に係合される第２のボトム終端フラップと、
トップパネルと、
第１のサイドパネルと、
第２のサイドパネルと、
前記第１のサイドパネルの第１の終端へ折畳式に係合される第１のウェブ部と、
前記第１のサイドパネルの第２の終端へ折畳式に係合される第２のウェブ部と、
少なくとも１つの第１の破壊線を、前記トップパネルの第１の終端縁に備える可変式の第１のハンドル機能部と、
を備える、ブランク。
【請求項２７】
前記少なくとも１つの第１の破壊線が第１の周囲破壊線を備え、前記第１の周囲破壊線は、一部分において前記第１のハンドル機能部の第１のハンドルセクションを画定し、前記トップパネルの前記第１の終端縁に少なくとも近傍に延在する、請求項２６に記載のブランク。
【請求項２８】
前記第１のハンドル機能部が、
前記第１のハンドルセクション内にあり、前記トップパネルの前記第１の終端縁へ延在する第１の中間破壊線と、
前記第１の周囲破壊線、あるいは近傍に切り込みまたは刻み線と、
をさらに備える、請求項２６または２７に記載のブランク。
【請求項２９】
前記第１のウェブ部が、
前記第１のサイドパネルへ折畳式に係合される第１のウェブパネルと、
前記第１のウェブパネルへ折畳式に係合される第２のウェブパネルと、
を備える、請求項２６ないし２８に記載のブランク。
【請求項３０】
前記第１および第２のサイドパネルが、前記トップパネルに向かって内側に細くなる、請求項２６ないし２９に記載のブランク。
【請求項３１】
前記ブランクが板紙から構成される、請求項２６ないし３０に記載のブランク。
【発明の詳細な説明】
【技術分野】
【０００１】
［関連出願の記述］
本願は２００６年１月１２日付申請の米国仮特許出願第６０／７５８，３３９号に対し優先権を主張し、その全ての内容はここに参照されることで援用される。
【背景技術】
【０００２】
巻き付け型の運搬用パッケージは概して、容器群の周辺で運搬装置ブランクを包み、ブランクの終端を共に固定することによって形成される。容器は、きつく包まれた運搬装置によって、および概して容器のボトム部が延在し通過する端部の切り目によっても、定位置に保持される。しかしながら、従来の巻き付け型の運搬用パッケージにおいては、ハンドルが提供されず、ハンドルが提供される際は、ハンドルによりパッケージの完全性がほぼ減少する。
【発明の開示】
【０００３】
本発明の第１の実施形態に従い、運搬用パッケージはトップパネルと、トップパネルに係合される第１のサイドパネルと、トップパネルに係合され、第１のサイドパネルに向かい合う運搬用パッケージのサイドに配列される第２のサイドパネルと、ボトムパネルと、少なくとも部分的に広がっている第１および第２の終端とを有する運搬装置を備える。複数の容器は、運搬用パッケージに収納される。１つ以上のハンドル機能部は、トップパネルに形成される。ハンドル機能部により、トップパネルの縁の変形が可能となり、それによりユーザは運搬用パッケージを容易に持ち上げ運搬することができる。運搬用パッケージの完全性を過度に危うくしないよう、ハンドル機能部は、破くことなく、トップパネルを変形できるよう設計されてもよい。
【０００４】
当業者は、下記に列挙される図面を参照して以下の実施形態の詳細な説明を読むことで
、上述した利点およびその他の利点、ならびに様々なさらなる実施形態の利益を理解する。
【発明を実施するための最良の形態】
【０００５】
一般的な方法に従い、以下に説明される図面の様々な形態は正確な縮尺度でない場合もある。図面の様々な形態および要素の寸法は、本発明の実施形態をより明確に例示するために拡大または縮小されている。
【０００６】
図１は、本発明の第１の実施形態に従い、運搬用パッケージ１５０（図３〜６に例示）を形成するため使用されるブランク８の第１のサイドの平面図である。図１の通り、運搬装置ブランク８は、縦の中心線ＣＬに関して全体的にまたは部分的に対称であってもよく、横の中心線ＣＴに関して部分的に対称であってもよい。したがって、図面の一部の要素は、全体的なまたは部分的な縦のおよび／または横の対称を反映するために、共通の参照番号を共有する。用語「運搬用パッケージ」は概して、組み立てられた運搬装置ブランク８および組み立てられたブランク内に収納される容器Ｃを指す。
【０００７】
ブランク８は、第１の横の折り線２１で第１のサイドパネル２０へ折畳式に係合されるボトムパネル１０、第２の横の折り線３１で第１のサイドパネル２０へ折畳式に係合されるトップパネル３０、および第３の横の折り線４１でトップパネル３０へ折畳式に係合される第２のサイドパネル４０を備える。粘着フラップ８０は、第４の横の折り線８１でボトムパネル１０へ折畳式に係合されてもよい。代替的には、粘着フラップはブランク８の向かい合う終端で第２のサイドパネル４０に係合されてもよい。トップパネル３０は、例えば、１つ以上の丸い、斜角の、または切頂のコーナー３３を持つ、概して四角のまたは矩形の形を有してもよい。ボトムパネル１０は、例えば、概して四角または矩形であってもよい。
【０００８】
ボトム終端フラップ１２は、縦の折り線１４でボトムパネル１０の各終端へ折畳式に係合されてもよい。ボトム終端フラップ１２は、運搬用パッケージ１５０（図３〜６に例示）の終端を部分的に閉じるのに役立つ。ウェブ部５０は、斜めの折り線５２で第１のサイドパネル２０の各終端へ折畳式に係合されてもよい。ウェブ部５０も、斜めの折り線５２で第２のサイドパネル４０の各終端へ折畳式に係合されてもよい。各ウェブ部５０は、第１のウェブパネル５１、および斜めの折り線５４で第１のウェブパネル５１へ折畳式に係合される第２のウェブパネル５６を備える。ボトム終端フラップ１２と並ぶウェブ部５０は、運搬用パッケージ１５０の終端を部分的に閉じるのに役立つ。斜めの折り線５２の方向は、サイドパネル２０、４０がトップパネル３０に向かって内側に細くなる原因となる。
【０００９】
本発明の一態様に従い、１つ以上のハンドル機能部６０は、運搬用パッケージ１５０を持ち上げ、掴み、および／または運搬するために、トップパネル３０に形成されてもよい。例示された実施形態において、２つのハンドル機能部６０がトップパネル３０に形成され、１つのハンドル機能部６０をトップパネル３０の各終端縁に形成する。典型的な実施形態において、各ハンドル機能部６０は、湾曲したまたは弓状の線６２の形で周囲破壊線を備え、周囲線６２がハンドルセクション６７を区切る。線形セクションを有する非連続的な周囲線を含むその他の形は本発明の範囲内であるが、図１において、周囲線６２は概して半円形である。横の中間破壊線６４は、周囲線６２にあるまたは隣接する部位へ、トップパネル３０の縁から延在してもよい。縦の切り込みまたはスコアライン（刻み線）６６は、周囲線６２と中間線６４の交差等、周囲破壊線６２に沿ってまたは近傍に形成されてもよい。
【００１０】
周囲線６２および中間線６４は、トップパネル３０を破壊線６２、６４で変形できるよう設計されてもよいが、一方トップパネル３０を線６２、６４で引き裂くことを実際には促さない。線６２、６４は、例えば、ブランク８内の折り線、スコアライン（刻み線）、折り目線、切り込み空き線、それらの組み合わせ、またはその他の破壊線であってもよく、トップパネル３０をハンドル機能部６０で変形することができる。周囲線６２は、例えば、ブランク８内で連続的な、実質上連続的な、または非連続的であってもよい。線６６は、ハンドル機能部６０でトップパネル３０を掴む際、ハンドルセクション６７の旋回運動を容易にする周囲線６２の尖部にある、切り込み（例、スリット）または刻み線（スコア）であることもできる。
【００１１】
１つの典型的方法に従い、運搬用パッケージ１５０を、ブランクを平坦に横たえ、複数の容器Ｃ（図２に示す）の上部側を下にしてトップパネル３０の内面に置くことによって、ブランク８から組み立てることができる。糊またはその他の接着剤を、粘着フラップ８０の外側および／または第２のサイドパネル４０の内側に塗布してもよい。糊またはその他の接着剤を同様に、各第２のウェブパネル５６の外側および／またはボトム終端フラップ１２の内側に塗布してもよい。第１および第２のサイドパネル２０、４０を折り線３１、４１それぞれに関し、反転した容器Ｃの側に向かって前方へ折り畳む。粘着フラップ８０を容器の底に隣接するように、横の折り線８１に関して折り畳む。ボトムパネル１０を、それから、容器の底に隣接し、その内側が接着パネル８０の外側に接触しそこへ接着剤によって接着されるように、横の折り線２１に関して折り畳む。ブランク８は現在、容器Ｃの周辺で包まれ、広がっている終端を持つ概して管状の形を有する。各ウェブ部５０を、管状形の広がっている終端全体に渡り延在し、隣接する容器Ｃのサイドに境を接するよう、折り線５２に関して内側に折り畳む。図２および３の通り、ボトム終端フラップ１２を、運搬装置の各終端で第２のウェブパネル５６の外部に接着するように、折り線１４に関し前方へ折り畳む。
【００１２】
組み立ての代替方法に従い、粘着フラップ８０の外側が第２のサイドパネル４０の内側に接触し、そこに接着されるように、粘着フラップ８０を、横の折り線２１、４１で折り畳むことによって、第２のサイドパネル４０へ事前に糊付けしてもよい。次いで、事前に糊付けしたブランク８を、概して管状の形へ広げ、容器Ｃをブランクの広がっている終端を介し管状の形へ横に装荷してもよい。管状の形の広がっている終端を、それからウェブパネル５１、５６およびボトム終端フラップ１２によって閉じてもよい。
【００１３】
図２および３に関して、組み立てられた運搬用パッケージ１５０は、そこに安全に保持される容器Ｃを含み、概して円柱状の容器の縦軸はトップおよびボトムパネル１０、３０に垂直である。典型的運搬用パッケージ１５０は、２×２配置で配置される４つの飲料用容器Ｃを含むが、その他の容器配置も本発明の範囲内である。
【００１４】
図２および３の通り、運搬用パッケージ１５０の終端は、部分的に広がり、容器Ｃのサイドの上部が見えるように露出してもよい。運搬用パッケージ１５０のサイドは、細くなる第１および第２のサイドパネル２０、４０によって、実質的に閉じられる。ウェブ部５０がわずかに曲がるか、またはその他の方法で破壊線５４で変形し、隣接する容器Ｃの外面とパネル５１、５６が順に部分的に一致するように、組み立ての間、運搬用パッケージ１５０を容器Ｃの周辺で比較的きつく包むことができる。例示された実施形態において、ウェブ部５０およびボトム終端フラップ１２は、運搬用パッケージ１５０の低い終端の実質的部分を閉じる。例えば、様々な度合いで容器Ｃが目に見えるように、運搬用パッケージ１５０の終端を閉じる度合いは異なってもよい。
【００１５】
図４は、トップパネル３０を例示する運搬用パッケージ１５０の部分図である。ハンドル機能部６０は、運搬用パッケージ１５０を持ち上げ、掴み、および／または運搬するため、トップパネル３０に配置される。各ハンドル機能部６０は、運搬用パッケージ１５０を掴むことを容易にするために、トップパネル３０を所定のパターンに従い変形できる部位を提供する。各ハンドル機能部６０を、運搬用パッケージ１５０の部分的に広がっている終端の近傍に、トップパネル３０の縁に位置させる、さらなるハンドル機能部を、例えば、折り線３１、４１にあるか、または隣接する等、トップパネル３０のその他の部分に置いてもよい。
【００１６】
図５は、ユーザがトップパネル３０のハンドル機能部６０にアクセスするのを例示する。運搬用パッケージ１５０を、向かい合った指をハンドルセクション６７のトップパネル３０の終端縁に置き、トップパネル３０を内側に圧迫することによって、掴んでもよい。ハンドル機能部６０のトップパネル３０を圧迫することで、トップパネル３０がトップパネル３０の向かい合う終端縁で内側に変形する原因となる。図４に関しても、線６２、６６に関して旋回し、線６４で内側に曲がるように、ハンドルセクション６７が変形してもよい。容器Ｃから干渉を受けることなく、ハンドルセクション６７が内側に変形するように、ハンドル機能部６０が隣接する容器Ｃの間のトップパネル３０に位置してもよい。トップパネル３０の変形により、運搬用パッケージ１５０を持ち上げための安全なグリップを提供する。
【００１７】
典型的運搬用パッケージ１５０を、概して円柱状の８．３液量オンス飲料用缶を収納するとして例示する。しかしながら、本発明に従い、その他の型の容器を運搬用パッケージ内に収納することもできる。例えば、概して円柱状の１２オンス飲料用缶を使用することもできる。ブランク８の寸法は概して、様々な容器の形を収納するために変化してもよい。
【００１８】
本発明に従い、例えば、ブランク８の長さを調節することによって、さらなる容器Ｃを運搬用パッケージに収納することもできる。例えば、トップパネル３０、ボトムパネル１０、およびボトムフラップ１２を、さらなる容器Ｃを収納するために、ブランク８の縦方向に沿って延長することができる（図１において左から右へ測定）。１つのかかる代替実施形態において、運搬用パッケージは、３行および２列（３×２）で配置される６つの容器を収納するよう構成されてもよい。
【００１９】
本発明に従うブランクは、例えば、コーティングされた板紙および素材から形成することができる。例えば、ブランクの内部および／または外面は、クレーコーティングすることができる。次いで、クレーコーティングは、製品、広告、価格コード、およびその他の情報または画像をその上に印刷してもよい。それからブランクを、ブランクに印刷される情報を保護するために、ニスでコーティングしてもよい。また、ブランクを、ブランクの片側または両側を、例えは防湿層でコーティングしてもよい。
【００２０】
典型的な実施形態に従い、ブランクは通常の紙よりも重く剛性が強くなるような厚みの板紙から構成されてもよい。ブランクは、ボール紙、硬化紙、または運搬用パッケージが上述する通り少なくとも一般的に機能を果たすことができるのに適する特性を有する、いずれのその他の素材等の、その他の素材からも構成することができる。ブランクはまた、選択されたパネルまたはパネルセクションに、１枚以上のシートに似た素材を積層またはコーティングすることもできる。
【００２１】
本願に示す説明の目的のため、用語「破壊線」は概して、ブランクに形成される、例えば、切り込み線、スコアライン（刻み線）、折り目線、切り取り線、折り線、およびそれらの組み合わせを指すために使用することができる。
【００２２】
折り線は、必ずしも真っ直ぐでないが、いずれの実質的な線形で、それに沿って折り畳むのを容易にするブランク内の破壊または弱体化の形であることができる。より具体的には、本発明の範囲を狭める目的のためではないが、折り線の例は、スコアライン（刻み線）、折り目線、切り込みあるいは望ましい弱線に沿って素材へ部分的におよび／または素材を介し完全に延在する一連の切り込み、および様々なこれら機能部の組み合わせを含む。
【００２３】
上の実施形態は、糊で共に接着される１つ以上のパネルを有すると説明できる。用語「糊」は、ブランクの様々な部分を固定するために通常使用される接着剤全ての様式を含むことを意図している。
【００２４】
説明は、本発明を本願で開示される形態に制限することを意図するものではない。また、添付の請求項は代替の実施形態を含むよう解釈されることを意図し、詳細な説明に明示的に定義されることを意図しない。
【図面の簡単な説明】
【００２５】
【図１】本発明の第１の実施形態に従い、ハンドル機能部を有する運搬用パッケージを形成するために使用される、ブランクの平面図である。
【図２】容器を装荷される運搬用パッケージを示す。
【図３】容器を装荷される運搬用パッケージを示す。
【図４】運搬用パッケージのトップパネルを示す、運搬用パッケージの部分図である。
【図５】ハンドル機能部で掴み、持ち上げられる運搬用パッケージを示す。
【図１】
2009523661.tif 000003
【図２】
2009523661.tif 000004
【図３】
2009523661.tif 000005
【図４】
2009523661.tif 000006
【図５】
2009523661.tif 000007
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
ボトムパネルと、
トップパネルと、
第１のサイドパネルと、
第２のサイドパネルと、
少なくとも部分的に広がっている第１の終端と、
少なくとも部分的に広がっている第２の終端と、
前記トップパネル内の少なくとも１つのハンドル機能部と、
複数の容器と、を備え、
前記ハンドル機能部は、前記トップパネルの少なくとも１つの自由端縁で、前記トップパネルを変形することができることを特徴とする搬用パッケージ。
【請求項２】
前記運搬用パッケージの前記第１の終端は、第１のボトム終端フラップによって、少なくとも部分的に閉じられている、請求項１に記載の運搬用パッケージ。
【請求項３】
前記運搬用パッケージの前記第１の終端は、前記第１のサイドパネルへ折畳式に係合される第１のウェブ部と、前記第２のサイドパネルへ折畳式に係合される第２のウェブ部とによって、少なくとも部分的に閉じられる、請求項１または２に記載の運搬用パッケージ。
【請求項４】
前記第１のウェブ部は、
前記第１のサイドパネルへ折畳式に係合される第１のウェブパネルと、
前記第１のウェブパネルへ折畳式に係合され、前記第１のボトム終端フラップに接
着されている第２のウェブパネルと、
を備える、請求項３に記載の運搬用パッケージ。
【請求項５】
前記少なくとも１つのハンドル機能部は、前記運搬用パッケージの前記第１の終端に、第１のハンドル機能部を備える、請求項１ないし４のいずれか一項に記載の運搬用パッケージ。
【請求項６】
前記第１のハンドル機能部は第１の周囲破壊線を備え、前記第１の周囲破壊線が前記第１のハンドル機能部の第１のハンドルセクションを一部分において画定する、請求項１ないし５のいずれか一項に記載の運搬用パッケージ。
【請求項７】
前記第１のハンドル機能部は、前記第１のハンドルセクションに中間破壊線をさらに備え、前記トップパネルの第１の縁へ延在する、請求項６に記載の運搬用パッケージ。
【請求項８】
前記第１のハンドル機能部は、前記第１の周囲破壊線またはその近傍に切り込みまたは刻み線をさらに備える、請求項７に記載の運搬用パッケージ。
【請求項９】
前記複数の容器は、少なくとも４つの概して円柱状の容器から成る、請求項１ないし８のいずれか一項に記載の運搬用パッケージ。
【請求項１０】
前記容器は２×２の配置で配置される、請求項１ないし９のいずれか一項に記載の運搬用パッケージ。
【請求項１１】
各容器は縦軸を有し、前記容器の前記縦軸は、前記ボトムパネルに概して垂直である、請求項１０に記載の運搬用パッケージ。
【請求項１２】
前記第１および第２のサイドパネルは、前記トップパネルに向かって内側に細くなる、請求項１ないし１１のいずれか一項に記載の運搬用パッケージ。
【請求項１３】
前記少なくとも１つのハンドル機能部は、前記トップパネルの第１の終端縁に第１のハンドル機能部と、前記トップパネルの第２の終端縁に第２のハンドル機能部とを備える、請求項１ないし１２のいずれか一項に記載の運搬用パッケージ。
【請求項１４】
請求項１３に記載の運搬用パッケージを提供するステップと、
少なくとも１本の指を、前記第１のハンドル機能部の前記トップパネルに置くステップと、
少なくとも１本の指を、前記第２のハンドル機能部の前記トップパネルに置くステップと、
前記トップパネルを、前記第１および第２のハンドル機能部で変形するステップと、
前記運搬用パッケージを持ち上げるステップと、
を備える、運搬用パッケージを運搬する方法。
【請求項１５】
ボトムパネルと、
トップパネルと、
前記ボトムパネルおよび前記トップパネルに係合される、第１のサイドパネルと、
前記ボトムパネルおよび前記トップパネルに係合される、第２のサイドパネルと、
部分的に広がっている第１の終端であって、前記第１のサイドパネルへ折畳式に係合される第１のウェブ部、前記第２のサイドパネルへ折畳式に係合される第２のウェブ部、および前記ボトムパネルへ折畳式に係合される第１のボトム終端フラップによって、少なくとも部分的に閉じられている前記第１の終端と、
部分的に広がっている第２の終端と、
前記運搬用パッケージの前記第１の終端にある、前記トップパネルの第１の終端縁の第１のハンドル機能部と、
前記運搬用パッケージの前記第２の終端にある、前記トップパネルの第２の終端縁の第２のハンドル機能部と、
２×２の配置にある４つの容器であって、各容器は縦軸を有し、前記容器の前記軸は概して前記ボトムパネルに垂直である４つの容器と、
を備える、運搬用パッケージ。
【請求項１６】
前記少なくとも１つのハンドル機能部が、前記トップパネルに第１の複数の破壊線を備え、第１の複数の破壊線は、前記トップパネルの前記第１の終端縁に少なくとも隣接して延在する第１の周囲破壊線を備える、請求項１５に記載の運搬用パッケージ。
【請求項１７】
前記第１のハンドル機能部が、前記トップパネルの前記第１の縁へ延在する第１の中間破壊線と、前記第１の周囲破壊線あるいはその近傍に切り込みまたは刻み線をさらに備える、請求項１６に記載の運搬用パッケージ。
【請求項１８】
前記第１のウェブ部が、前記第１のサイドパネルへ折畳式に係合される第１のウェブパネルと、前記第１のウェブパネルへ折畳式に係合される第２のウェブパネルとを備え、前記第２のウェブパネルは前記第１のボトム終端フラップに接着されており、
前記第１および第２のサイドパネルが、前記トップパネルに向かって内側に細くなる、請求項１５、１６または１７に記載の運搬用パッケージ。
【請求項１９】
請求項１５に記載の運搬用パッケージを提供するステップと、
少なくとも１本の指を、前記第１のハンドル機能部の前記トップパネルに置くステップと、
少なくとも１本の指を、前記第２のハンドル機能部の前記トップパネルに置くステップと、
前記トップパネルを、前記第１および第２のハンドル機能部で変形するステップと、
前記運搬用パッケージを持ち上げるステップと、
を備える、運搬用パッケージを運搬する方法。
【請求項２０】
ボトムパネルと、
前記ボトムパネルの第１の終端へ折畳式に係合される第１のボトム終端フラップと、
前記ボトムパネルの第２の終端へ折畳式に係合される第２のボトム終端フラップと、
トップパネルと、
第１のサイドパネルと、
第２のサイドパネルと、
前記第１のサイドパネルの第１の終端へ折畳式に係合される第１のウェブ部と、
前記第１のサイドパネルの第２の終端へ折畳式に係合される第２のウェブ部と、
少なくとも１つの第１の破壊線を、前記トップパネルの第１の自由端縁に備える可変式の第１のハンドル機能部と、
を備える、ブランク。
【請求項２１】
前記少なくとも１つの第１の破壊線が第１の周囲破壊線を備え、前記第１の周囲破壊線は、一部分において前記第１のハンドル機能部の第１のハンドルセクションを画定し、前記トップパネルの前記第１の終端縁に少なくとも近傍に延在する、請求項２０に記載のブランク。
【請求項２２】
前記第１のハンドル機能部が、
前記第１のハンドルセクション内にあって、前記トップパネルの前記第１の終端縁へ延在する第１の中間破壊線と、前記第１の周囲破壊線あるいはその近傍に切り込みまたは刻み線と、をさらに備える、請求項２０または２１に記載のブランク。
【請求項２３】
前記第１のウェブ部が、前記第１のサイドパネルへ折畳式に係合される第１のウェブパネルと、前記第１のウェブパネルへ折畳式に係合される第２のウェブパネルと、を備える、請求項２０ないし２２のいずれか一項に記載のブランク。
【請求項２４】
前記第１および第２のサイドパネルが、前記トップパネルに向かって内側に細くなる、請求項２０ないし２３のいずれか一項に記載のブランク。
【請求項２５】
前記ブランクが板紙から構成される、請求項２０ないし２４のいずれか一項に記載のブランク。
【国際調査報告】
2009523661.tif 000008
2009523661.tif 000009